(57)【要約】【課題】凸レンズ部の径の自由度が高く、新規な光模様を出現させることが可能な遊技機の提供を目的とする。【解決手段】本実施形態のパチンコ遊技機１０によれば、ＬＥＤチップ９１を実装した電飾回路基板９０にインナーベース５０の主板壁５１を対向配置し、その主板壁５１に形成した凸レンズ部５５の周りに縁溝５７を備えたので、この縁溝５７に沿った光のリングを含む新規な光模様を出現させることができる。また、主板壁５１から電飾回路基板９０側への凸レンズ部５５の突出量が抑えられるので、主板壁５１と凸レンズ部５５とを合わせた厚さ寸法に制限がある場合には、従来の遊技機に備えた凸レンズ部に比べて、凸レンズ部５５の径を大きくすることができる。即ち、凸レンズ部５５の径の自由度が高くなる。【選択図】図６
2007275366.tif 000002
【特許請求の範囲】
【請求項１】
光源と、前記光源の前方を覆った光源対向板状透光部材を含むベース部材とを備えた遊技機において、
前記光源対向板状透光部材に形成された凹部と、
前記凹部の底面から膨出し、前記光源からの光を集光又は拡散する凸レンズ部と、
前記凹部の内側面と前記凸レンズ部の外縁部との間に形成され、前記凸レンズ部の外縁部を前記凹部の底面に向かうに従って徐々に前記凹部の内側面に接近させたことで、奥側が狭くなった縁溝とを設けたことを特徴とする遊技機。
【請求項２】
前記凸レンズ部のうち前記凹部の底面から膨出した部分の表面を、球面形状にしたことを特徴とする請求項１に記載の遊技機。
【請求項３】
前記凸レンズ部の外縁部全体が前記光源による照射領域に含まれるように前記凸レンズ部と前記光源とを配置したことを特徴とする請求項１又は２に記載の遊技機。
【請求項４】
前記光源は、チップ型のＬＥＤであることを特徴とする請求項１乃至３の何れかに記載の遊技機。
【請求項５】
前記光源は、電飾回路基板に実装され、
前記電飾回路基板と前記光源対向板状透光部材とを一定の間隔を開けて対向した状態にして固定したことを特徴とする請求項１乃至４の何れかに記載の遊技機。
【請求項６】
前記凹部は、前記光源対向板状透光部材のうち前記光源との対向面側に配置され、前記凸レンズ部は、前記光源対向板状透光部材に向かって膨出したことを特徴とする請求項１乃至５の何れかに記載の遊技機。
【請求項７】
遊技を行う遊技領域を有した遊技板と、前記遊技板に形成されて前記遊技領域を流下する遊技球を前記遊技板の背面側に誘導可能な入賞口と、前記遊技板を貫通した光装飾窓と、前記光装飾窓を塞いだ装飾透光部材とを設け、
前記光源対向板状透光部材を、前記装飾透光部材の背面に対向配置しかつ前記遊技板の背面との間に間隔を開けた状態にして固定し、
前記光源を、前記光源対向板状透光部材の背面側に配置し、
前記光源対向板状透光部材の前面から起立した前面起立壁を設け、
前記前面起立壁と、前記光源対向板状透光部材とから前記入賞口を通過した遊技球を案内する案内部を構成したことを特徴とする請求項６に記載の遊技機。
【請求項８】
前記ベース部材に、前記案内部に前記遊技球の通過を検出する遊技球センサを取り付けるためのセンサ取付部を形成したことを特徴とする請求項７に記載の遊技機。
【請求項９】
前記入賞口は、前記装飾透光部材を貫通しかつ複数備えられ、
前記案内部は、前記複数の入賞口に対応して複数備えられ、
前記各案内部毎に前記遊技球センサ及び前記センサ取付部を設けたことを特徴とする請求項８に記載の遊技機。
【請求項１０】
前記装飾透光部材は、前後方向で間隔を開けて対向配置された前側装飾透光部材と後側装飾透光部材とからなり、前記後側装飾透光部材に前記凸レンズ部より小さい複数の小凸レンズを複眼状に形成して備えたことを特徴とする請求項７乃至９の何れかに記載の遊技機。
【請求項１１】
前記前側装飾透光部材は、相互に異なる凹凸模様を一面に備えた１対の板状透光部材を重ねてかつ、前記凹凸模様が形成された面同士を対向させてなることを特徴とする請求項１０に記載の遊技機。
【請求項１２】
前記光装飾窓を、前記遊技領域の左右に対をなして設け、それら各光装飾窓を前記装飾透光部材によってそれぞれ塞ぎ、
前記遊技板のうち左右両方の前記光装飾窓を含んだ横長領域を囲みかつ前記遊技板の背面から起立した状態で固定された枠壁を有したフレームベースと、
前記フレームベースの左右の両端部に前側から固定されて、前記各光装飾窓に対向した透光樹脂製の１対のインナーベースとを設け、
前記各インナーベースを、前記遊技板に対向した主板壁から前方に突壁が起立した構造にして、それら突壁と主板壁とにより前記入賞口を通過した遊技球を案内する案内部を構成すると共に、前記主板壁の後面側に前記装飾透光部材を照射する光源を実装した回路基板を取り付け、
少なくとも一方の前記インナーベースが前記ベース部材であり、そのインナーベースの前記主板壁及び前記突壁が、前記ベース部材の前記光源対向板状透光部材及び前記前面起立壁であることを特徴とする請求項７乃至１１の何れかに記載の遊技機。
【請求項１３】
前記フレームベースには、前記枠壁の後端部に一体形成されて前記インナーベースに対向する後端壁と、前記後端壁から前記インナーベース側に突出しかつ先端部がテーパー状になった位置決め支柱と、前記後端壁から前記インナーベース側に片持ち梁状になって突出し、先端に矢尻形係止突部を備えた係止アームとが備えられ、
前記インナーベースには、前記位置決め支柱が挿入されかつその挿入方向の奥側に向かってテーパー状に縮径した位置決め孔と、前記インナーベースが前記フレームベースに組み付けられる過程で前記矢尻形係止突部に摺動して前記係止アームを撓ませ、前記インナーベースを前記フレームベースに組み付けた状態で前記係止アームの復元により前記矢尻形係止突部が係止するアーム係止部とが形成されたことを特徴とする請求項１２に記載の遊技機。
【請求項１４】
前記フレームベースにおける前記枠壁の後端部には、中継回路基板が固定され、前記中継回路基板に前記両インナーベースに取り付けられた各回路基板が電気接続されたことを特徴とする請求項１２又は１３に記載の遊技機。
【請求項１５】
前記遊技板のうち１対の前記光装飾窓の間の中央部には、前記入賞口と前記入賞口を開閉する又は前記入賞口への入賞確率を変更するための可動部材と前記可動部材を駆動する駆動源とを有した１対の入賞口ユニットが上下に並べて取り付けられ、
前記中継回路基板に、前記１対の入賞口ユニットが電気接続され、
前記フレームベースには、前記１対の入賞口ユニットの各入賞口を通過した遊技球を案内する遊技球案内部が上下に並べて形成されたことを特徴とする請求項１４に記載の遊技機。
【発明の詳細な説明】
【技術分野】
【０００１】
本発明は、光源の前方に凸レンズ部を有した板状透光部材を配置して光装飾を行った遊技機に関する。
【背景技術】
【０００２】
従来、この種の遊技機として、光源の前方に配置した板状透光部材の一部をドーム状に膨出させた凸レンズ部を設けたものが知られている。また、その凸レンズ部を備えた板状透光部材を更に装飾透光部材で覆ったものも知られている（例えば、特許文献１参照）。
【特許文献１】特開２００３−８１４号公報（段落［００２４］，［００２５］，［００３５］，［００３６］、第１図、第３図、第６図）
【発明の開示】
【発明が解決しようとする課題】
【０００３】
しかしながら、上述した従来の遊技機では、凸レンズ部の径を大きくすると、これに伴って板状透光部材からの凸レンズ部の突出量も増すため、その凸レンズ部付きの板状透光部材を、例えば、光源付きの回路基板と装飾透光部材との間の狭いスペースに配置するような場合には、凸レンズ部の径の大きさが制約される事態が生じ得た。また、遊技機は常に新鮮さを求められるので、上記した従来の構成では得られない新規な光模様を出現させることが可能な遊技機の開発が求められていた。
【０００４】
本発明は、上記事情に鑑みてなされたもので、凸レンズ部の径の自由度が高く、新規な光模様を出現させることが可能な遊技機の提供を目的とする。
【課題を解決するための手段】
【０００５】
上記目的を達成するためになされた請求項１の発明に係る遊技機は、光源と、光源の前方を覆った光源対向板状透光部材を含むベース部材とを備えた遊技機において、光源対向板状透光部材に形成された凹部と、凹部の底面から膨出し、光源からの光を集光又は拡散する凸レンズ部と、凹部の内側面と凸レンズ部の外縁部との間に形成され、凸レンズ部の外縁部を凹部の底面に向かうに従って徐々に凹部の内側面に接近させたことで、奥側が狭くなった縁溝とを設けたところに特徴を有する。
【０００６】
請求項２の発明は、請求項１に記載の遊技機において、凸レンズ部のうち凹部の底面から膨出した部分の表面を、球面形状にしたところに特徴を有する。
【０００７】
請求項３の発明は、請求項１又は２に記載の遊技機において、凸レンズ部の外縁部全体が光源による照射領域に含まれるように凸レンズ部と光源とを配置したところに特徴を有する。
【０００８】
請求項４の発明は、請求項１乃至３の何れかに記載の遊技機において、光源は、チップ型のＬＥＤであるところに特徴を有する。
【０００９】
請求項５の発明は、請求項１乃至４の何れかに記載の遊技機において、光源は、電飾回路基板に実装され、電飾回路基板と光源対向板状透光部材とを一定の間隔を開けて対向した状態にして固定したところに特徴を有する。
【００１０】
請求項６の発明は、請求項１乃至５の何れかに記載の遊技機において、凹部は、光源対向板状透光部材のうち光源との対向面側に配置され、凸レンズ部は、光源対向板状透光部材に向かって膨出したところに特徴を有する。
【００１１】
請求項７の発明は、請求項６に記載の遊技機において、遊技を行う遊技領域を有した遊技板と、遊技板に形成されて遊技領域を流下する遊技球を遊技板の背面側に誘導可能な入賞口と、遊技板を貫通した光装飾窓と、光装飾窓を塞いだ装飾透光部材とを設け、光源対向板状透光部材を、装飾透光部材の背面に対向配置しかつ遊技板の背面との間に間隔を開けた状態にして固定し、光源を、光源対向板状透光部材の背面側に配置し、光源対向板状透光部材の前面から起立した前面起立壁を設け、前面起立壁と、光源対向板状透光部材と遊技板とから入賞口を通過した遊技球を案内する案内部を構成したところに特徴を有する。
【００１２】
請求項８の発明は、請求項７に記載の遊技機において、ベース部材に、案内部に遊技球の通過を検出する遊技球センサを取り付けるためのセンサ取付部を形成したところに特徴を有する。
【００１３】
請求項９の発明は、請求項８に記載の遊技機において、入賞口は、装飾透光部材を貫通しかつ複数備えられ、案内部は、複数の入賞口に対応して複数備えられ、各案内部毎に遊技球センサ及びセンサ取付部を設けたところに特徴を有する。
【００１４】
請求項１０の発明は、請求項７乃至９の何れかに記載の遊技機において、装飾透光部材は、前後方向で間隔を開けて対向配置された前側装飾透光部材と後側装飾透光部材とからなり、後側装飾透光部材に凸レンズ部より小さい複数の小凸レンズを複眼状に形成して備えたところに特徴を有する。
【００１５】
請求項１１の発明は、請求項１０に記載の遊技機において、前側装飾透光部材は、相互に異なる凹凸模様を一面に備えた１対の板状透光部材を重ねてかつ、凹凸模様が形成された面同士を対向させてなるところに特徴を有する。
【００１６】
請求項１２の発明は、請求項７乃至１１の何れかに記載の遊技機において、光装飾窓を、遊技領域の左右に対をなして設け、それら各光装飾窓を装飾透光部材によってそれぞれ塞ぎ、遊技板のうち左右両方の光装飾窓を含んだ横長領域を囲みかつ遊技板の背面から起立した状態で固定された枠壁を有したフレームベースと、フレームベースの左右の両端部に前側から固定されて、各光装飾窓に対向した透光樹脂製の１対のインナーベースとを設け、各インナーベースを、遊技板に対向した主板壁から前方に突壁が起立した構造にして、それら突壁と主板壁とにより入賞口を通過した遊技球を案内する案内部を構成すると共に、主板壁の後面側に装飾透光部材を照射する光源を実装した回路基板を取り付け、少なくとも一方のインナーベースがベース部材であり、そのインナーベースの主板壁及び突壁が、ベース部材の光源対向板状透光部材及び前面起立壁であるところに特徴を有する。
【００１７】
請求項１３の発明は、請求項１２に記載の遊技機において、フレームベースには、枠壁の後端部に一体形成されてインナーベースに対向する後端壁と、後端壁からインナーベース側に突出しかつ先端部がテーパー状になった位置決め支柱と、後端壁からインナーベース側に片持ち梁状になって突出し、先端に矢尻形係止突部を備えた係止アームとが備えられ、インナーベースには、位置決め支柱が挿入されかつその挿入方向の奥側に向かってテーパー状に縮径した位置決め孔と、インナーベースがフレームベースに組み付けられる過程で矢尻形係止突部に摺動して係止アームを撓ませ、インナーベースをフレームベースに組み付けた状態で係止アームの復元により矢尻形係止突部が係止するアーム係止部とが形成されたところに特徴を有する。
【００１８】
請求項１４の発明は、請求項１２又は１３に記載の遊技機において、フレームベースにおける枠壁の後端部には、中継回路基板が固定され、中継回路基板に両インナーベースに取り付けられた各回路基板が電気接続されたところに特徴を有する。
【００１９】
請求項１５の発明は、請求項１４に記載の遊技機において、遊技板のうち１対の光装飾窓の間の中央部には、入賞口と入賞口を開閉する又は入賞口への入賞確率を変更するための可動部材と可動部材を駆動する駆動源とを有した１対の入賞口ユニットが上下に並べて取り付けられ、中継回路基板に、１対の入賞口ユニットが電気接続され、フレームベースには、１対の入賞口ユニットの各入賞口を通過した遊技球を案内する遊技球案内部が上下に並べて形成されたところに特徴を有する。
【発明の効果】
【００２０】
［請求項１の発明］
請求項１の構成によれば、光源対向板状透光部材に凹部を形成し、その凹部の底面から凸レンズ部を膨出させたので、光源対向板状透光部材からの凸レンズ部の突出量が抑えられる。従って、光源対向板状透光部材と凸レンズ部とを合わせた厚さ寸法に制限がある場合には、従来の遊技機に備えた凸レンズ部に比べて、凸レンズ部の径を大きくすることができる。即ち、凸レンズ部の径の自由度が高くなる。しかも、凸レンズ部の外縁部を凹部の内側面に隣接する位置まで広げて、凹部の内側面と凸レンズ部の外縁部との間に奥側が狭くなった縁溝を設けたので、この縁溝に沿った光のリングを含む新規な光模様を出現させることが可能になる。
【００２１】
［請求項２の発明］
請求項２の構成によれば、凸レンズ部のうち球面形状の表面で光を屈折させて、光を拡散又は集光することができる。
【００２２】
［請求項３の発明］
請求項３の構成によれば、凸レンズ部の外縁部全体が光源による照射領域に含まれているので、この縁溝に沿った光のリングが明確になる。
【００２３】
［請求項４の発明］
請求項４の構成によれば、光源をチップ型のＬＥＤとしたことにより小型化が図られる。
【００２４】
［請求項５の発明］
請求項５の構成によれば、電飾回路基板を光源対向板状透光部材と一定の間隔をあけて固定したことにより、電飾回路基板に実装された光源と、光源対向板状透光部材に設けられた凸レンズ部とが一定の間隔で対向した状態に保持される。
【００２５】
［請求項６の発明］
請求項６の構成によれば、凸レンズ部が、光源側に向かって膨出した構成になっているので縁溝が光源から離れるに従って狭くなり、縁溝内に入った光が縁溝の内面で反射し奥側に向かって集光される。これにより、この縁溝に沿った光のリングが明確になる。
【００２６】
［請求項７の発明］
請求項７の構成によれば、入賞口を通過した遊技球が案内部を通過する際に、光源対向板状透光部材と装飾透光部材との間を横切る。これにより、遊技球の通過によって装飾透光部材に映し出される光模様を変化させることができる。
【００２７】
［請求項８の発明］
請求項８の構成によれば、ベース部材のセンサ取付部に取り付けた遊技球センサにより、案内部を通過した遊技球を検出することができる。
【００２８】
［請求項９の発明］
請求項９の構成によれば、各入賞口毎の入賞球を遊技球センサにて別個に検出することができる。
【００２９】
［請求項１０の発明］
請求項１０の構成によれば、後側装飾透光部材を照射した光がその後側装飾透光部材に備えられた複数の各小凸レンズ毎に集光されて前側装飾透光部材に向かうので、あたかも前側装飾透光部材を複数の光源で照射しているように演出することができる。
【００３０】
［請求項１１の発明］
請求項１１の構成によれば、後側装飾透光部材からの光を両板状透光部材に備えた凹凸模様で屈曲、又は、集光、又は、拡散することができる。
【００３１】
［請求項１２の発明］
請求項１２の遊技機を組み付ける際には、１対の各インナーベースの主板壁の後面側に回路基板を取り付け、それらインナーベースをフレームベースの左右の両端部に前側から装着して固定する。この状態でフレームベースを遊技板の固定すると、各インナーベースの回路基板に実装された光源が主板壁を通して遊技板の各光装飾窓に後方から対向した状態になる。これにより、光源からの光が、光装飾窓を塞いだ装飾透光部材を後方から照射して、装飾透光部材を光らせることができる。また、各インナーベースの主板壁から前方に起立した突壁と主板壁とにより入賞口を通過した遊技球を案内する案内部が構成される。これにより、入賞口を通過して遊技板の後側に取り込まれた遊技球を所定の位置に案内することができる。
【００３２】
［請求項１３の発明］
請求項１３の構成によれば、フレームベースに形成された位置決め支柱の先端部がテーパー状になっている一方、インナーベースに形成された位置決め孔が位置決め支柱の挿入方向の奥側に向かって縮径するようにテーパー状になっている。これにより、位置決め支柱を位置決め孔に挿入させてフレームベースとインナーベースとの間の位置決めをすることができる。また、インナーベースのアーム係止部にフレームベースの係止アームの先端に備えられた矢尻形係止突部が係止するので、インナーベースをフレームベースに組み付けた状態に保持することができる。
【００３３】
［請求項１４の発明］
請求項１４の構成によれば、アッシ化されたフレームベースと両インナーベースとを遊技板に固定するのに先立って、両インナーベースに取り付けられた各回路基板をフレームベースの後端壁に固定された中継回路基板に電気接続することができる。
【００３４】
［請求項１５の発明］
請求項１５の構成によれば、フレームベースに遊技球案内部を上下に並べて形成したので、遊技板のうち１対の光装飾窓の間の中央部に上下に並べて取り付けられた１対の入賞口ユニットの各入賞口を通過した遊技球を案内することができる。
【発明を実施するための最良の形態】
【００３５】
以下、本発明の遊技機としてのパチンコ遊技機１０に係る一実施形態を、図１〜図１４に基づいて説明する。図１に示すように、パチンコ遊技機１０の遊技板１１には、ガイドレール１２で囲まれた略円形の遊技領域Ｒ１が形成されている。遊技領域Ｒ１の中央には、表示装置取付窓１１Ｗ（図２参照）が貫通形成され、ここに表示枠２５Ａが前側から嵌合されている。そして、遊技板１１の後面に取り付けられた液晶表示装置２５Ｂの液晶表示画面２５Ｇが、表示枠２５Ａの内側開口２５Ｗを通して前面側に臨んでいる。
【００３６】
遊技領域Ｒ１のうち表示枠２５Ａの下側には、第１及び第２の始動入賞口１４Ａ，１４Ｂ、大入賞口１５及びアウト口１６が、上から順に間隔を開けて上下方向に並べて設けられている。それら大入賞口１５等の両側方には、ガイドレール１２に沿って１対の電飾部品４０Ｕ，８０Ｕが設けられ、それら各電飾部品４０Ｕ，８０Ｕ毎に１対の一般入賞口４３，４３（８３，８３）が備えられている。そして、各電飾部品４０Ｕ，８０Ｕと後述するＬＥＤ９１，９２とからサイドランプが構成されている。また、遊技領域Ｒ１のうち画面表示窓２５Ｗの左側には、始動ゲート１８と風車１９とが上下に並べて設けられている。さらに、遊技領域Ｒ１には、遊技球と当接して流下方向を様々に変化させることが可能な障害釘（図示せず）が分散配置されている。
【００３７】
遊技領域Ｒ１の上方には、１対の上側スピーカ２３Ｕ，２３Ｕが横並びにして設けられている。遊技領域Ｒ１の下方には、上皿２６及び下皿２７が上下２段にして設けられている。そして、下皿２７の右側側方に設けた操作ノブ２４を操作することで、上皿２６に収容された遊技球が遊技領域Ｒ１に弾き出される。また、上皿２６の側方に設けた上皿排出ボタン２６Ａを押すと上皿２６に貯留された遊技球が下皿２７に排出される。下皿２７に貯留された遊技球は、下皿２７の右側側方に設けた下皿排出ボタン２７Ａを押すことによって排出することができる。また、下皿２７の左側側方に設けられた画像操作ボタン２７Ｂを操作すると、液晶表示画面２５Ｇで表示される画像を選択することができる。さらに、下皿２７の下方には、１対の下側スピーカ２３Ｌ，２３Ｌが横並びにして設けられている。
【００３８】
以下、上記した役物の詳細を説明する。始動ゲート１８は、遊技球が潜って通過可能な門形構造をなし、通過した遊技球は始動ゲート１８に内蔵された遊技球センサ（図示せず）によって検出される。すると、検出信号に基づいて、一方の電飾部品８０Ｕに備えられた普通図柄表示部８４において図柄が変動表示される。具体的には、「０」〜「９」までの数字からなる数字図柄が所定期間に亘って変動表示された後、所定の数字図柄が停止表示される。
【００３９】
第１及び第２の始動入賞口１４Ａ，１４Ｂは、図３に示す始動入賞口ユニット１４Ｕの前面に上下に並べて設けられ、遊技板１１の前面から突出した部材の上面に開口を備えた、所謂、ポケット構造をなしている。始動入賞口ユニット１４Ｕは、遊技板１１のうち表示装置取付窓１１Ｗの下方に貫通形成された始動入賞口取付窓１１Ｃ（図２参照）に前側から挿入され、後端部を遊技板１１の後方に突出させた状態にして遊技板１１に固定されている。各始動入賞口１４Ａ，１４Ｂに入球した遊技球は、始動入賞口ユニット１４Ｕの内部に設けられた案内路（図示せず）によって遊技板１１の後面側に案内され、始動入賞口ユニット１４Ｕの下面に設けられた遊技球排出口１４Ｈから排出される。
【００４０】
図１に示すように、上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部８４で停止表示された数字図柄が奇数になると、始動入賞口ユニット１４Ｕの後端部に設けられた演出用ソレノイド１４Ｓ（図３参照）が駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００４１】
各始動入賞口１４Ａ，１４Ｂに遊技球が入賞すると、前述した始動入賞口ユニット１４Ｕの案内路の途中に設けた遊技球センサ（図示せず）が遊技球を検出し、その検出信号に基づいて、例えば、４個の遊技球が上皿２６に払い出されると共に、液晶表示装置２５Ｂの液晶表示画面２５Ｇにおいて図柄が変動表示される。具体的には、液晶表示画面２５Ｇには、通常、３つの左、中、右の特別図柄２５Ｃ，２５Ｄ，２５Ｅが横並びに表示されている。これら各特別図柄２５Ｃ，２５Ｄ，２５Ｅは、例えば、「０」〜「１１」の数字を表記した複数種類のもので構成されており、通常は、各特別図柄２５Ｃ，２５Ｄ，２５Ｅごと、所定の種類のものが停止表示されている。そして、始動入賞口１４Ａ，１４Ｂに遊技球が入賞したときに、これら３つの特別図柄２５Ｃ，２５Ｄ，２５Ｅが、上下方向にスクロール表示され、所定時間後に、例えば、左、右、中の順で各特別図柄２５Ｃ，２５Ｅ，２５Ｄが停止表示される。このとき、中特別図柄２５Ｄがスクロール表示されている状態で、先に停止表示された左・右の特別図柄２５Ｃ，２５Ｅが、同じ図柄となった場合に「リーチ状態」が成立する。すると、次述する「大当たり状態」になる確率が高くなる。また、全ての特別図柄２５Ｃ，２５Ｄ，２５Ｅが同じ図柄、即ち、ぞろ目になった場合に、遊技が「大当たり状態」になる。
【００４２】
なお、液晶表示画面２５Ｇにおいて特別図柄２５Ｃ，２５Ｄ，２５Ｅが変動表示又は「大当たり状態」の最中に始動入賞口１４Ａ，１４Ｂに入賞した場合、その入賞球は最大で４個まで保留記憶され、特別図柄２５Ｃ，２５Ｄ，２５Ｅが停止表示又は「大当たり状態」が終了すると、その保留記憶に基づいて再び、特別図柄２５Ｃ，２５Ｄ，２５Ｅが変動表示される。
【００４３】
大入賞口１５は、大入賞口ユニット１５Ｕ（図３参照）の前端部に横長矩形に形成されて、常には、可動扉１５Ｔにて閉塞されている。大入賞口ユニット１５Ｕは、遊技板１１のうち始動入賞口取付窓１１Ｃの直下に貫通形成された大入賞口取付窓１１Ｄ（図２参照）に前側から挿入され、後端部を遊技板１１の後方に突出させた状態にして遊技板１１に固定されている。大入賞口ユニット１５Ｕのうち遊技板１１の後面側の左右方向の中央には、遊技球通過孔１５Ｋが上下方向に貫通形成されている。遊技球通過孔１５Ｋは、大入賞口ユニット１５Ｕの直上に配置された始動入賞口ユニット１４Ｕの遊技球排出口１４Ｈの鉛直下方に設けられており、入賞口ユニット１４Ｕの遊技球排出口１４Ｈから排出された遊技球が通過可能になっている。
【００４４】
パチンコ遊技機１０が「大当たり状態」になると、大入賞口ユニット１５Ｕの後端部に設けられた大入賞口ソレノイド１５Ｓ（図３参照）が駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００４５】
大入賞口１５に入球した遊技球は、大入賞口ユニット１５Ｕの内部に設けられた案内路（図示せず）によって遊技板１１の後面側に案内され、大入賞口ユニット１５Ｕの下面に設けられた遊技球排出口１５Ｈから排出される。大入賞口ユニット１５Ｕの案内路には、計数入賞口が設けられている。計数入賞口内には遊技球センサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００４６】
ここで、可動翼片１４Ｃ及び可動扉１５Ｔが、本発明の「可動部材」となる。また、演出用ソレノイド１４Ｓ及び大入賞口ソレノイド１５Ｓが、本発明の「駆動源」となる。さらに、一般入賞口４３，８３が、本発明の「入賞口」となる。そして、始動入賞口１４Ａ，１４Ｂ、大入賞口１５が本発明の「入賞口」となり、始動入賞口ユニット１４Ｕ及び大入賞口ユニット１５Ｕが本発明の「１対の入賞口ユニット」になる。
【００４７】
図１に示すように、遊技領域Ｒ１に向かって右側の電飾部品４０Ｕは、遊技板１１に貫通形成された１対の光装飾窓１１Ａ（図２参照）に嵌合されている。各光装飾窓１１Ａは、ガイドレール１２に沿って延び、電飾部品４０Ｕには、図４に示すように、光装飾窓１１Ａに対応した形状になった筐体部（図５参照）の前面から側方にフランジ部４１を張り出した構造になっている。そして、電飾部品４０Ｕは、光装飾窓１１Ａに前側から組み付けられて光装飾窓１１Ａの縁部にフランジ部４１を宛がった状態にしてネジ止めされている。
【００４８】
電飾部品４０Ｕの前面壁には、ガイドレール１２に沿って延びた開口４１Ｃが形成され、そこに本発明に係る前側装飾透光部材４２が嵌め込まれている。開口４１Ｃは、ガイドレール１２に沿って延び、上縁部が波形形状をなしている。図６に示すように、前側装飾透光部材４２は、開口４１Ｃに対応した形状の１対の板状透光部材４２Ａ，４２Ａを二枚重ねにして構成されている。各板状透光部材４２Ａ，４２Ａは、例えば、共に青色の透光樹脂で構成されている。また、各板状透光部材４２Ａ，４２Ａの相互の対向面には、凹凸模様が形成されている。その凹凸模様は、例えば、海草をイメージさせる形状になっている。より具体的には、前側装飾透光部材４２の長手方向に沿って複数の突部が形成され、それら突部が板状透光部材４２Ａの下縁部から上縁部に向かって先細りになりつつランダムに湾曲して延びて、水中で揺らぐ海草のようになっている。また、両板状透光部材４２Ａ，４２Ａの間で、凹凸模様は異なっている。これにより、板状透光部材４２Ａ，４２Ａを重ねた状態で透かして見ると、複数の海草が重なり合って濃淡が生じ、奥行きを感じさせている。
【００４９】
なお、各板状透光部材４２Ａ，４２Ａのうち凹凸模様を備えた面と反対側の面は、平坦になっている。また、電飾部品４０Ｕの前面壁は、前側装飾透光部材４２のうち前側装飾透光部材４２以外の部分は、不透明の樹脂で構成されている。
【００５０】
電飾部品４０Ｕの後側半分は、例えば、無色透明な透光樹脂で構成され、電飾部品４０Ｕの後面壁全体が、本発明に係る後側装飾透光部材４４になっている。後側装飾透光部材４４の前面全体には複数の小凸レンズ４４Ｂが複眼状に形成されている。また、後側装飾透光部材４４の後面は平坦になっている。
【００５１】
図４に示すように、一般入賞口４３，４３は、電飾部品４０Ｕの前面壁のうち開口４１Ｃの上縁部に沿って配置されている。一般入賞口４３は、図６の断面図に示すように（図６には、一方の一般入賞口４３の断面構造のみが示されている）、電飾部品４０Ｕの前面壁から突出して上方に向かって開口したポケット部と、そのポケット部の後端部に備えられた案内筒４１Ａとからなる。
【００５２】
案内筒４１Ａは、電飾部品４０Ｕの前面壁と後面壁との間に差し渡されている。案内筒４１Ａは、電飾部品４０Ｕのうち光装飾窓１１Ａに嵌合される囲壁の一部を円弧状に膨出させた膨出壁４１Ｂと、電飾部品４０Ｕの前面壁から後側に延びた断面円弧状の溝壁４２Ｃを上下方向で対向配置して円筒状に構成されている。そして、案内筒４１Ａの内部空間が前述したポケット部の内部空間に連通している。これにより、一般入賞口４３に入球した遊技球が遊技板１１の後側に取り込まれる。また、一般入賞口４３を構成するポケット部は、例えば、青色に着色された透光部材で構成されている。
【００５３】
図１示すように、左側の電飾部品８０Ｕは、右側の電飾部品４０Ｕと略対称な構造をなした電飾主部８０Ｘ（図８参照）の上端部に、図柄表示部８０Ｙ（図８参照）を一体に備えた構造になっている。以下、左側の電飾部品８０Ｕのうち電飾部品４０Ｕと同一構造に関しては、同一の符号を付して重複した説明を省略し、電飾部品４０Ｕと異なる構成に関してのみ説明する。
【００５４】
電飾部品８０Ｕの両一般入賞口８３，８３及び前側装飾透光部材８２は、赤色に着色されている。これにより、前記した電飾部品４０Ｕの前側装飾透光部材４２と同様に電飾部品８０Ｕの前側装飾透光部材８２を構成する１対の板状透光部材（図示せず）を重ねた状態にして透かして見ると、前記した海草と同じ形状の凹凸模様が、例えば、炎をイメージさせるようになっている。
【００５５】
図７に示すように、電飾部品８０Ｕの図柄表示部８０Ｙには、前面壁の上端部から案内庇８１Ｃが立設されている。この案内庇８１Ｃは、略水平方向に延び、遊技領域Ｒ１を流下する遊技球を始動入賞口１４Ａ，１４Ｂ側に案内する。図柄表示部８０Ｙの前面壁の裏面には、回路基板８５が重ねた状態にして固定されている。そして、図柄表示部８０Ｙの前面壁に貫通形成された１対の電飾孔８５Ａ，８５Ａを通して回路基板８５上の１対のＬＥＤが前方に露出している。また、電飾孔８５Ａ，８５Ａの上方に普通図柄表示窓８４Ｗが貫通形成され、その普通図柄表示窓８４Ｗを通して回路基板８５上の普通図柄表示部８４が前面に露出している。さらに、図８に示すように、図柄表示部８０Ｙの後側は、電飾主部８０Ｘ側から延長された無色透明な透光樹脂製の壁部で覆われている。電飾部品８０Ｕの後側半分を構成する無色透明な透光樹脂製の壁部は、後面壁の縁部から囲壁を張り出した容器構造をなしかつ、その容器構造の内部に備えた区画壁４５によって電飾主部８０Ｘ側と図柄表示部８０Ｙ側とに区画されている。そして、電飾部品８０Ｕの後面壁のうち区画壁４５より電飾主部８０Ｘ側が電飾部品４０Ｕと同様に後側装飾透光部材４４になっている。
【００５６】
図２に示すように、遊技板１１の後面には、液晶表示装置２５Ｂとベース部材アッシ９９とが上下に並べて取り付けられている。液晶表示装置２５Ｂの後面側には、第２透明ケース３１と第３透明ケース３２とが前後方向に重ねて取り付けられている。この第２透明ケース３１にはサブ制御基板３４（図１４参照）が収容されている。また、第３透明ケース３２には、表示制御基板３５と音声制御基板３６（共に図１４参照）とが横並びにして収容されている。ベース部材アッシ９９の後面には、第１透明ケース３０が取り付けられている。第１透明ケース３０には、主制御基板３３（図１４参照）が収容されている。このように、各制御基板３３〜３６を第１〜第３の透明ケース３０〜３２に収容したので、外部から各制御基板３３〜３６の状態を視認できると共に、周囲を覆って保護することができる。なお、第１〜第３の透明ケース３０〜３２は、横長矩形状をなしている。
【００５７】
ベース部材アッシ９９は、図９に示したフレームベース７０と、１対のインナーベース５０，５０とを備えている。
【００５８】
フレームベース７０は、遊技板１１の後面に突き当てられる横長矩形の枠壁７１を有し、その枠壁７１の前端部から両側方に向かって固定片７１Ｆが張り出されている。そして、各固定片７１Ｆを遊技板１１の後面に宛がった状態にして木ねじにてネジ止めされ、枠壁７１が遊技板１１から起立した状態になっている。そして、枠壁７１は、遊技板１１の後面のうち左右方向に延びて両方の光装飾窓１１Ａ，１１Ａを含んだ横長領域を囲んでいる。また、枠壁７１の後面開口は部分的に後端壁７２にて塞がれている。そして、枠壁７１の内側に、インナーベース５０，５０及び前記した始動入賞口ユニット１４Ｕ及び大入賞口ユニット１５Ｕが収容される空間が形成されている。
【００５９】
図１０に示すように、後端壁７２の後面側には、矩形枠状の基板収容リブ７６Ａ，７６Ｂが対をなして突出形成され、これら各基板収容リブ７６Ａ，７６Ｂ内に、中継回路基板９３，９４が収容されている。また、後端壁７２には、基板収容リブ７６Ａ，７６Ｂの一部を切り欠いて、そこから係止爪７６Ｃ，７６Ｃが後方に突出され、係止爪７６Ｃの先端部からは基板収容リブ７６Ａ，７６Ｂ内に向けて矢尻状の係止突起が突出している。さらに、基板収容リブ７６Ａ，７６Ｂのうち係止爪７６Ｃ，７６Ｃと対向する位置には、基板収容リブ７６Ａ，７６Ｂの内側に係止突起７６Ｄ，７６Ｄが突出している。この構成により、中継回路基板９３，９４を、各基板収容リブ７６Ａ，７６Ｂ内に装着する際には、中継回路基板９３，９４を斜めにしてその一側縁部を係止突起７６Ｄ，７６Ｄに係止してから、中継回路基板９３，９４を基板収容リブ７６Ａ，７６Ｂ内に押し込めば、係止爪７６Ｃ，７６Ｃが弾性変形後に復元して、中継回路基板９３，９４に係止し、中継回路基板９３，９４が後端壁７２に固定されている。
【００６０】
なお、基板収容リブ７６Ａ，７６Ｂの内側には、各係止爪７６Ｃの両側部及び各係止突起７６Ｄの両側部に、後述するインナーベース５０の支持突部５４Ｄと同様の支持突部（図示せず）がそれぞれ形成され、これら支持突部により中継回路基板９３，９４が後端壁７２から浮かせた状態に保持されている。
【００６１】
後端壁７２の後面のうち左右の両端部には、略縦長矩形状の１対の後面突部７５Ａ，７５Ｂが設けられている。これらの後面突部７５Ａ，７５Ｂの先端部は、後端壁７２と略平行になっており、後端壁７２から段差状に後方に突出している。
【００６２】
図２に示すように、一方の後面突部７５Ｂの先端部には、１対のヒンジピン係止部７５Ｃ，７５Ｃが上下方向に並べて設けられている。これらのヒンジピン係止部７５Ｃ，７５Ｃには、第１透明ケース３０の一方の側部に形成された１対のヒンジピン３０Ａが回転可能に係合される。これにより、フレームベース７０と第１透明ケース３０とがヒンジピン係止部７５Ｃとヒンジピン３０Ａとからなるヒンジ３０Ｈで連結され、第１透明ケース３０がヒンジ３０Ｈを中心にして回転可能になる。
【００６３】
他方の後面突部７５Ａの先端部には、係合窓７５Ｅ（図１０参照）が前後方向に貫通形成されている。係合窓７５Ｅには、第１透明ケース３０の他方の側部に形成された係止爪３０Ｋが嵌合されている。これにより、第１透明ケース３０がフレームベース７０の後面に保持される。また、他方の後面突部７５Ａの先端部には、第１透明ケース３０の外縁部に沿って保護突部７５Ｄが設けられている。
【００６４】
図９に示すように、フレームベース７０のうち枠壁７１及び後端壁７２によって囲まれた部分における左右の両端部は、インナーベース固定部７０Ｋ，７０Ｋになっている。各インナーベース固定部７０Ｋには、１対の位置決め支柱７３Ａ，７３Ａと、１対の係止アーム７３Ｄ，７３Ｄと、１つの支持リブ７３Ｅとが後端壁７２から前方に突出形成されている。
【００６５】
位置決め支柱７３Ａ，７３Ａは、上下及び横方向にずらして配置されている。各位置決め支柱７３Ａは、全体として略円錐状をなし、中間に設けられた段差部にて段差状に縮径されている。即ち、各位置決め支柱７３Ａは、先端部がテーパー状に縮径している。
【００６６】
係止アーム７３Ｄ，７３Ｄも、上下及び横方向にずらして配置されている。そして、各係止アーム７３Ｄは、後端壁７２の前面から片持ち梁状になって突出し、先端に矢尻形係止突部７３Ｃを備えている。また、支持リブ７３Ｅは、後端壁７２と枠壁７１に連続しており、枠壁７１を補強している。
【００６７】
インナーベース固定部７０Ｋ，７０Ｋの間には、始動球受壁７４Ｍが設けられている。始動球受壁７４Ｍは、枠壁７１における上下方向の上側に配置され、全体として略溝構造になって後端壁７２から前方に突出している。また、始動球受壁７４Ｍの底壁における前縁部の中央には、遊技球が通過可能な遊技球受入口７４Ｈが上下方向に貫通形成されている。また、始動球受壁７４Ｍの下面のうち遊技球受入口７４Ｈの周縁部には、遊技球誘導壁７４Ｗが立設されている。
【００６８】
枠壁７１の下辺部分には、左右方向の両端部を除く略全体に亘って、その枠壁７１の前縁部を遊技板１１から離す方向にオフセットして、遊技球排出口７４Ｒが形成されている。また、パチンコ遊技機１０に備えた図示しない遊技球排出ダクトの上面開口が、遊技球排出口７４Ｒに対して下方から突き合わされている。そして、遊技領域Ｒ１を流下した遊技球の全てが、遊技球排出口７４Ｒを通過して、遊技球排出ダクト（図示せず）を通り、パチンコ遊技機１０を複数台備えた遊技ホールの所定の場所に集められる。
【００６９】
また、枠壁７１の下辺部分には、遊技球排出口７４Ｒの開口縁における始動球受壁７４Ｍの下方位置に、案内スロープ台７４Ｓが設けられている。案内スロープ台７４Ｓは、前面が前下がりに傾斜している。このように、始動球受壁７４Ｍの遊技球受入口７４Ｈ及び遊技球誘導壁７４Ｗと、案内スロープ台７４Ｓと、遊技球排出口７４Ｒとが上下に並んで配置され、遊技球案内部７４Ｇを形成している。
【００７０】
後端壁７２の前面には、始動球受壁７４Ｍを左右方向に挟む位置に１対の回路基板係止爪７４Ｋ，７４Ｋが突設されている。また、一方の回路基板係止爪７４Ｋには、基板受壁７４Ａが突設されている。そして、始動球受壁７４Ｍの一方の側壁部及び基板受壁７４Ａの各上端部は、前側に向かって下るように傾斜している。そして、図示しない回路基板が、始動球受壁７４Ｍの一方の側壁部及び基板受壁７４Ａにおける傾斜部分に支持されて、その回路基板の上縁部が枠壁７１における上辺部分の下面に突き合わされ、さらに、回路基板の下縁部が回路基板係止爪７４Ｋ，７４Ｋに係止している。
【００７１】
インナーベース５０は、図９に示すように、遊技板１１に対向した主板壁５１（本発明の「光源対向板状透光部材」に相当する）から包囲突壁５２Ｓを突出して備え、全体として前面開放の容器構造になっている。そして、インナーベース５０，５０は、フレームベース７０に固定された電飾部品４０Ｕ，８０Ｕに遊技板１１の後面側から宛がわれ、電飾部品４０Ｕ，８０Ｕに各一般入賞口４３を通過した遊技球を受容する。また、インナーベース５０のうち主板壁５１と包囲突壁５２Ｓとで囲まれた部分は、各４０Ｕ，８０Ｕ毎の１対の一般入賞口４３，４３に対応して、区分突壁５２Ｋによって２つの案内部５３に区分されている。そして、これら各案内部５３に受容された遊技球が、インナーベース５０における遊技板１１の中央部側の下端部に案内されるように包囲突壁５２Ｓ及び区分突壁５２Ｋが湾曲乃至傾斜している。また、インナーベース５０のうち遊技板１１の中央部寄りの下端部には、各案内部５３毎に遊技球の排出口が備えられている。それら各排出口毎にセンサ取付部５８が設けられている。センサ取付部５８は、各排出口の対向内面に１対のレール部を有している。略偏平直方体の遊技球センサ９５が、インナーベース５０の後方側からセンサ取付部５８における１対のレール部に案内されてセンサ取付部５８内に装着され、センサ取付部５８の後端部に備えた係止爪によって遊技球センサ９５が抜け止めされている。そして、これら案内部５３に受容された遊技球が、各排出口を通過する際に各遊技球センサ９５によって検出される。ここで、包囲突壁５２Ｓ及び区分突壁５２Ｋは、本発明の「前面起立壁」，「突壁」になっている。
【００７２】
図１２に示すように、主板壁５１の後面には、矩形枠状の基板収容リブ５４が突出形成されている。基板収容リブ５４は、全体として略長方形をなし、その長手方向がインナーベース５０のうち遊技板１１の中心側から側方に離れるに従って斜め上方に向かっている。そして、基板収容リブ５４に電飾回路基板９０（本発明の「回路基板」に相当する）が収容されている。また、インナーベース５０の基板収容リブ５４には、フレームベース７０の前記基板収容リブ７６Ａ，７６Ｂと同様に、１対の係止爪５４Ａ，５４Ａ、１対の係止突起５４Ｃ，５４Ｃとを備えている。また、基板収容リブ５４の内側には、各係止爪５４Ａの両側部及び各係止突起５４Ｃの両側部に、支持突部５４Ｄがそれぞれ形成されている。これにより、電飾回路基板９０が主板壁５１から浮かせた状態にして基板収容リブ５４内に固定されている。なお、係止爪５４の弾性力を利用して支持突部５４Ｄと係止爪５４Ａとで電飾回路基板９０を狭持して固定することによって、主板壁５１から一定の距離を容易に保ちつつ強固に電飾回路基板９０を固定する構成にしてもよい。
【００７３】
図９に示すように、各主板壁５１には、フレームベース７０の各インナーベース固定部７０Ｋに備えた１対の位置決め支柱７３Ａ，７３Ａに対応させて１対の位置決め孔５１Ａ，５１Ａが貫通形成されている。これら位置決め孔５１Ａは、前方に向かってテーパー状に縮径している。そして、各インナーベース５０を、フレームベース７０のインナーベース固定部７０Ｋに装着する際には、各インナーベース５０の位置決め孔５１Ａ，５１Ａを、位置決め支柱７３Ａ，７３Ａに対応させた状態で、インナーベース５０をインナーベース固定部７０Ｋに押し付ける。すると、位置決め孔５１Ａと位置決め支柱７３Ａとのテーパーによって芯だしされた状態で嵌合する。この過程で、インナーベース５０の外縁部が、係止アーム７３Ｄの矢尻形係止突部７３Ｃに摺動して係止アーム７３Ｄが撓み、位置決め孔５１Ａと位置決め支柱７３Ａとが密着嵌合したところで、係止アーム７３Ｄが復元して、矢尻形係止突部７３Ｃがインナーベース５０の包囲突壁５２Ｓを切り欠いて形成したアーム係止部５４Ｋに係止する。これにより、各インナーベース５０がフレームベース７０に固定される。
【００７４】
一方のインナーベース５０に保持されて、一方の電飾部品８０Ｕに対応した電飾回路基板９０には、複数の砲弾型のＬＥＤ９２（本発明の「光源」に相当する）が実装されている。そして、このインナーベース５０の主板壁５１には、複数のＬＥＤ９２に対向させて複数の照射貫通孔６１Ｈが形成されている。なお、照射貫通孔６１Ｈは、遊技球の径に比べて十分に小さい円形になっている。
【００７５】
他方のインナーベース５０に保持されて、他方の電飾部品４０Ｕに対応した電飾回路基板９０には、複数のＬＥＤチップ９１（本発明の「光源」及び「チップ形のＬＥＤ」に相当する）が実装されている。そして、主板壁５１には、複数のＬＥＤチップ９１に対向させて複数の凸レンズ部５５が設けられている。ここで、他方のインナーベース５０が、本発明の「ベース部材」に相当する。
【００７６】
詳細には、図１３に示すように、主板壁５１のうち電飾回路基板９０側を向いた後面には、各ＬＥＤチップ９１に対向させて凹部５６が陥没形成され、凸レンズ部５５は、凹部５６の底面をＬＥＤチップ９１に向けて膨出させてなる。凹部５６は、ＬＥＤチップ９１における発光部分の中心部と対向する位置を中心とした円形になっており、凸レンズ部５５は、球体５６Ｘの一部と略同一構造になっている。そして、凸レンズ部５５の中心部が主板壁５１の後面から僅かに突出している。
【００７７】
凹部５６の内側面５６Ａは、底面側に向かって縮径したテーパー状になっている。また、凸レンズ部５５の外縁部と凹部５６の内側面５６Ａとが凹部５６の底面で交差している。そして、これら凸レンズ部５５の外縁部と凹部５６の内側面５６Ａとに挟まれた部分が、本発明に係る縁溝５７になっている。従って、この縁溝５７は、凸レンズ部５５の外縁部と凹部５６の内側面５６Ａとに挟まれ、奥側に向かって幅狭になっている。また、インナーベース５０の前側から凸レンズ部５５を通してＬＥＤチップ９１を見ると、凸レンズ部５５のレンズ効果によってＬＥＤチップ９１が拡大して映り、凸レンズ部５５の外縁部の内側にＬＥＤチップ９１全体が収まって見える。
【００７８】
次に、本実施形態のパチンコ遊技機１０の電気的な構成について説明する。図１４の符号３３は、主制御基板３３であって、パチンコ遊技機１０全体を統括的に制御している。そして、その主制御基板３３を補助するために、サブ制御基板３４が備えられている。サブ制御基板３４には表示制御基板３５が接続され、その表示制御基板３５に音声制御基板３６が接続されている。
【００７９】
主制御基板３３は、各入賞口１４Ａ，１４Ｂ，１５，１８，４３，８３に備えられた遊技球センサ９５等からの信号を一方の中継回路基板９４を介して受信し、その受信した信号に基づいて主コマンドを生成する。そして、主制御基板３３が他方の中継回路基板９３を介してサブ制御基板３４に主コマンドを送信する。そして、サブ制御基板３４は、受信した主コマンドに基づいて各電飾基板、例えば、電飾回路基板９０に実装されたＬＥＤチップ９１を点灯又は消灯させると共に、より詳細な副コマンドを生成し、表示制御基板３５に送信すると共に表示制御基板３５を介して音声制御基板３６に送信する。これを受けて、表示制御基板３５が液晶表示装置２５Ｂを制御し、音声制御基板３６が音声データを生成して表示制御基板３５を介してサブ制御基板３４に送信する。サブ制御基板３４は、受信した音声データに基づいてスピーカ２３Ｕ，２３Ｌから音声を出力する。
【００８０】
また、主制御基板３３には、サブ制御基板３４の他、払出制御基板が接続されている。そして、払出制御基板により払出基板、発射制御基板が制御されて、遊技球の発射、払い出しが行われる。以上が、本実施形態のパチンコ遊技機１０の電気的な構成の説明である。
【００８１】
以下、本実施形態に係るパチンコ遊技機１０の組み付けに関する作用効果について説明する。
本実施形態のパチンコ遊技機１０では、遊技板１１に対する複数の部品の組み付けが以下のようにして行われる。遊技板１１に貫通形成された孔、窓に役物を取り付ける。即ち、表示装置取付窓１１Ｗに液晶表示装置２５Ｂを取り付け、始動入賞口取付孔１１Ｃに始動入賞口ユニット１４Ｕを取り付け、大入賞口取付孔１１Ｄに大入賞口ユニット１５Ｕを取り付け、さらに、光装飾窓１１Ａ，１１Ａに電飾部品４０Ｕ，８０Ｕを取り付ける。また、遊技板１１の前面には始動ゲート１８及び風車１９も取り付ける。
【００８２】
次いで、遊技板１１とは別に、図９に示すベース部材アッシ９９を組み付ける。そのためには、各インナーベース５０に電飾回路基板９０及び遊技球センサ９５を取り付けてから、それら各インナーベース５０をフレームベース７０に取り付ける。このとき、フレームベース７０のインナーベース固定部７０Ｋに前方からインナーベース５０を押し込むワンタッチ操作で、各インナーベース５０をフレームベース７０に取り付けることができる。そして、位置決め支柱７３Ａで位置決め孔５１Ａが位置決めされた状態で係止アーム７３Ｄにて固定される。
【００８３】
また、フレームベース７０の後面側の基板収容リブ７６Ａ，７６Ｂに中継回路基板９３，９４を取り付けると共に、回路基板係止爪７４Ｋに図示しない回路基板を取り付ける。そして、各インナーベース５０，５０から延びた図示しないケーブルの先端のコネクタを、中継回路基板９３，９４及び図示しない回路基板（以下、中継回路基板９３等という）に備えた所定のコネクタ（図示せず）に接続する。これにより、ベース部材アッシ９９が完成する。
【００８４】
次いで、ベース部材アッシ９９を遊技板１１の後面に取り付ける。そのためには、遊技板１１の後端面に図示しない１対の位置決めピンを打ち込んで突出させておく。そして、フレームベース７０の固定片７１Ｆ，７１Ｆを遊技板１１の後面に当接させ、このとき位置決めピンを各固定片７１Ｆ，７１Ｆのピン孔７１Ｒ（図２参照）に嵌合して位置合わせを行う。そして、固定片７１Ｆ，７１Ｆを貫通させた木ねじを遊技板１１にねじ込んだベース部材アッシ９９を遊技板１１に固定する。すると、各インナーベース５０，５０が電飾部品４０Ｕ，８０Ｕの各後側装飾透光部材４４に宛がわれた状態になる。これにより、ＬＥＤチップ９１からの光が、光装飾窓１１Ａ，１１Ａを塞いだ後側装飾透光部材４４を後方から照射して、その後側装飾透光部材４４を通過した光が前側装飾透光部材４２を後方から照射して、左右の電飾部品４０Ｕ，８０Ｕの各前側装飾透光部材４２を光らせることができる。
【００８５】
また、フレームベース７０が遊技板１１に固定されると、各一般入賞口４３の案内筒４１Ａの後端開口がインナーベース５０のうち主板壁５１と包囲突壁５２Ｓと区分突壁５２Ｋとによって囲まれた各案内部５３に臨んだ状態になる。そして、各インナーベース５０の各案内部５３と遊技板１１及び後側装飾透光部材４４とにより一般入賞口４３を通過した遊技球を案内する流下樋５９（図６参照）が構成される。これにより、一般入賞口４３を通過した遊技球を、流下樋５９で案内して遊技球センサ９５により遊技球を検出することが可能になる。なお、流下樋５９の内面を構成する主板壁５１の前面を平坦にしたので、主板壁５１の前方を遊技球がスムーズに通過することができる。また、凸レンズ部５５は主板壁５１の後面に備えられており、流下樋５９を通過する遊技球によって凸レンズ部５５が傷付くのを防ぐことができる。
【００８６】
また、図１１に示すように、フレームベース７０のうち枠壁７１に囲まれた内部空間のうち、始動球受壁７４Ｍの下方部分に、大入賞口ユニット１５Ｕの後端部が受容される。これにより、大入賞口ユニット１５Ｕの遊技球通過孔１５Ｋが始動球受壁７４Ｍの遊技球受入口７４Ｈの直下に配置される。大入賞口１５に入賞し、遊技球排出口１５Ｈ（図３参照）から排出された遊技球は、仮に弾んで後方に向かっても、案内スロープ台７４Ｓの前面によって前方に案内され、遊技球排出口７４Ｒから排出される。さらに、フレームベース７０の枠壁７１に囲まれた内部空間のうち、始動球受壁７４Ｍの上方部分に始動入賞口ユニット１４Ｕの後端部が受容される。すると、始動入賞口ユニット１４Ｕの遊技球排出口１４Ｈが始動球受壁７４Ｍの遊技球受入口７４Ｈに突入し、始動入賞口ユニット１４Ｕの遊技球排出口１４Ｈと、始動球受壁７４Ｍの遊技球誘導壁７４Ｗで囲まれた空間と、大入賞口ユニット１５Ｕの遊技球通過孔１５Ｋとが鉛直方向に連通して遊技球が流下可能になる。これにより、始動入賞口ユニット１４Ｕの始動入賞口１４Ａ，１４Ｂに入賞した遊技球が遊技球排出口１４Ｈから排出されると、始動球受壁７４Ｍの遊技球誘導壁７４Ｗで囲まれた空間内を流下して大入賞口ユニット１５Ｕの遊技球通過孔１５Ｋ（図３参照）に流入する。そして、遊技球通過孔１５Ｋを通過した遊技球がフレームベース７０の遊技球排出口７４Ｒから排出される。なお、遊技球排出口７４Ｒから排出された遊技球は、遊技球排出ダクトを通り、パチンコ遊技機１０を複数台備えた遊技ホールの所定の場所に集められる。
【００８７】
フレームベース７０を遊技板１１に固定したら、始動入賞口ユニット１４Ｕ及び大入賞口ユニット１５Ｕから延びた図示しないケーブルの先端のコネクタを、中継回路基板９３、９４等に備えた所定のコネクタ（図示せず）に接続する。次いで、液晶表示装置２５Ｂの後面側に、サブ制御基板３４を収容した第２透明ケース３１と、表示制御基板３５及び音声制御基板３６を収容した第３透明ケース３２とを順番に重ねて取り付ける。そして、主制御基板３３を収容した第１透明ケース３０をフレームベース７０の後面側に取り付ける。最後に、主制御基板３３とフレームベース７０に備えた中継回路基板９３，９４等との間と、各制御基板３３〜３６の間をケーブルで接続する。これにより、パチンコ遊技機１０の遊技板１１への部品の組み付けが完了する。
【００８８】
このように、本実施形態のパチンコ遊技機１０では、遊技板１１の左右に備えられた所謂サイドランプ及び一般入賞口４３，８３群に対応した遊技板１１の後面側構成部品を、流下樋５９の一部を構成するインナーベース５０に電飾回路基板９０を取り付けてなる１対のサブアッシと、インナーベース５０，５０をフレームベース７０に組み付けてなるアッシとに纏めて組み付け可能としたので、組み付け作業を容易に行うことができる。
【００８９】
次に、パチンコ遊技機１０で遊技を行った場合の作用効果について説明する。
パチンコ遊技機１０に電源が投入されると、各インナーベース５０，５０の電飾回路基板９０，９０に保持された複数のＬＥＤチップ９１及び複数のＬＥＤ９２が点灯する。
すると、ＬＥＤ９２からの光がインナーベース５０の照射貫通孔６１Ｈを通過して、一方の電飾部品８０Ｕに備えた後側装飾透光部材４４を照射する。すると、後側装飾透光部材４４を照射した光がその後側装飾透光部材４４に備えた複数の各小凸レンズ４４Ｂ毎に集光されて前側装飾透光部材４２側に向かう。すると、その光は、前側装飾透光部材４２に備えた１対の板状透光部材４２Ａ，４２Ａを通過する際に、各板状透光部材４２Ａ，４２Ａに備えた凹凸模様で屈曲、又は、集光、又は、拡散されて遊技者に届く。より詳細には、板状透光部材４２Ａ，４２Ａは対向面に異なる形状の凹凸模様を備えているので、その後側の板状透光部材４２Ａに備えた凹凸模様の凸部では光が集光され、前側の板状透光部材４２Ａに備えた凹凸模様の凸部では、光が拡散され、さらに、板状透光部材４２Ａ，４２Ａの凸部同士が重なり合った部分では、光の強度が落とされる。これにより、後側装飾透光部材４４の各小凸レンズ４４Ｂ毎に集光された光の点が、疎になる部分と密になる部分とができる。そして、ＬＥＤ９２に対応した前側装飾透光部材４２は、例えば、赤色に着色されているので、光の点がランダムに舞った火の粉をイメージさせかつ、板状透光部材４２Ａ，４２Ａに備えた凹凸模様が火柱をイメージさせる光装飾を行うことができる。さらに、ＬＥＤ９２は、一般的に指向性を有した光を出射するので、後側装飾透光部材４４のうちＬＥＤ９２との対向部分が明るく、その回りが若干暗くなった状態で後側装飾透光部材４４が照射される。これにより、小凸レンズ４４Ｂ毎に集光された光の点の光強度が適度にバラツキ、この点も、煩雑な光模様を浮かび上がらせる効果を奏する。
【００９０】
さて、ＬＥＤチップ９１からの光はインナーベース５０の凸レンズ部５５を通過して、他方の電飾部品４０Ｕに備えた後側装飾透光部材４４を照射する。ここで、ＬＥＤチップ９１も、一般的に指向性を有した光を出射するので、ＬＥＤチップ９１のうち凸レンズ部５５から光の多くは中心を通過して真っ直ぐ進む。また、ＬＥＤチップ９１から広がって凸レンズ部５５の広範囲を照射した光は、凸レンズ部５５を通過することで略平行な光になって前方に進む。そして、ＬＥＤチップ９１から広がって凸レンズ部５５の回りの縁溝５７に入光した光は、縁溝５７を構成する凸レンズ部５５の外縁部と凹部５６の内側面５６Ａで反射しながら縁溝５７の奥側に進む。ここで、縁溝５７は、奥側に向かって狭くなっているので、縁溝５７内に入った光は奥側に向かうに従って集光される。これにより、凸レンズ部５５を囲む縁溝５７に沿って光のリングができる。そして、これら光のリング及び凸レンズ部５５を通過した光により後側装飾透光部材４４を照射する。そして、上記したＬＥＤ９２の場合と同様に、後側装飾透光部材４４を照射した光が各小凸レンズ４４Ｂ毎に集光された光の点になって前側装飾透光部材４２に届く。そして、ＬＥＤチップ９１に対応した前側装飾透光部材４２は、例えば、青色に着色されているので、光の点が水中でランダムに浮かんだ気泡をイメージさせかつ、板状透光部材４２Ａ，４２Ａに備えた凹凸模様が海草をイメージさせる光装飾を行うことができる。さらに、縁溝５７によって光をリング状に集光したので、この点も、煩雑な光模様を浮かび上がらせる効果を奏する。
【００９１】
また、各電飾部品４０Ｕ，８０Ｕの一般入賞口４３，８３を構成するポケット部も透光部材で構成されているので、ＬＥＤ９２及びＬＥＤチップ９１からの光は、各一般入賞口４３，８３を構成するポケット部も光らせる。
【００９２】
さて、操作ノブ２４を操作してパチンコ遊技機１０で遊技を行うと、一般入賞口４３，８３に入球した遊技球は遊技板１１の後側に取り込まれる。このとき、遊技球が、一般入賞口４３，８３を構成するポケット部への光を遮ることで、その壁部を点滅させる。
【００９３】
また、遊技板１１の後側に取り込まれた遊技球は、流下樋５９を通過して、遊技球排出ダクトに取り込まれる。このとき、遊技球は、各ＬＥＤチップ９１及びＬＥＤ９２の前を通過し、或いは、各ＬＥＤチップ９１及びＬＥＤ９２からの光を反射して、電飾部品４０Ｕ，８０Ｕの各後側装飾透光部材４４，４４における光模様に変化を与える。
【００９４】
上記したように本実施形態のパチンコ遊技機１０では、ＬＥＤチップ９１を実装した電飾回路基板９０にインナーベース５０の主板壁５１を対向配置し、その主板壁５１に形成した凸レンズ部５５の周りに縁溝５７を備えたので、この縁溝５７に沿った光のリングを含む新規な光模様を出現させることができる。また、この構造は換言すれば、主板壁５１に凹部５６を形成して、その凹部５６の底面を膨出させて凸レンズ部５５を形成した構造であるので、主板壁５１から電飾回路基板９０側への凸レンズ部５５の突出量が抑えられる。従って、主板壁５１と凸レンズ部５５とを合わせた厚さ寸法に制限がある場合には、従来の遊技機に備えた凸レンズ部に比べて、凸レンズ部５５の径を大きくすることができる。即ち、凸レンズ部５５の径の自由度が高くなる。
【００９５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９６】
（１）前記実施形態では、遊技機の一例としてパチンコ遊技機１０を例示したが、遊技機であれば、アレンジボールやコイン遊技機、スロットマシン等でもよい。
【００９７】
（２）前記実施形態では、インナーベース５０の主板壁５１の後面に凹部５６及び凸レンズ部５５を設けていたが、主板壁５１の前面に凹部５６及び凸レンズ部５５を設けてもよい。また、主板壁５１の前後の両面に凹部５６及び凸レンズ部５５を設けてもよい。
【００９８】
（３）前記実施形態では、凸レンズ部５５がインナーベース５０の主板壁５１の凹部５６に一体形成されていたが、図１５に示すように、凸レンズ部１５５と主板壁５１とを別部品として形成し、その凸レンズ部１５５を主板壁５１の凹部５６に取り付けるようにしてもよい。この場合には、凸レンズ部１５５のうち凹部５６への取り付け面に、例えば、粘着層を設けたり、接着剤を塗布したりして、凸レンズ部１５５を凹部５６の底面に固定するようにすればよい。
【００９９】
（４）前記実施形態では、凸レンズ部５５のうち凹部５６の底面から膨出した部分の表面が球面形状をなし、その周縁部に円環状の縁溝が形成されていた。ここで、例えば、凸レンズ部２５５のうち凹部５６の底面から膨出した部分の表面を、半割にした円柱状、例えば、図１６に示すような蒲鉾状にすると、その周縁部に矩形枠状の縁溝を形成することができる。
【０１００】
（５）前記実施形態では、凹部５６の内側面５６Ａが底面側に向かって縮径したテーパー状になっていたが、図１７に示すように、凹部５６の径を窪みの深さ方向に略一定にしてもよい。
【０１０１】
（６）前記実施形態では、凸レンズ部５５の外縁部と凹部５６の内側面５６Ａとが凹部５６の底面で交差していたが、図１８に示すように、凸レンズ部５５の外縁部と凹部５６の内側面５６Ａとの間に間隔を開けてもよい。
【０１０２】
（７）前記実施形態では、ＬＥＤチップ６１で凸レンズ部５５を照射したが、ＬＥＤチップ、即ち、チップ型のＬＥＤ以外の光源で凸レンズ部５５を照射してもよい。
【図面の簡単な説明】
【０１０３】
【図１】本発明の実施形態に係る遊技機の正面図
【図２】遊技板の背面図
【図３】遊技板の後面の部分拡大斜視図
【図４】装飾透光部材の正面図
【図５】装飾透光部材の背面側斜視図
【図６】遊技板の後面に固定されたインナーベースの側断面図
【図７】装飾透光部材の正面図
【図８】装飾透光部材の背面側斜視図
【図９】ベース部材アッシの分解斜視図
【図１０】ベース部材アッシの背面図
【図１１】ベース部材アッシの正面図
【図１２】インナーベースの背面図
【図１３】インナーベースの主板壁の部分側断面図
【図１４】パチンコ遊技機の電気的構成を示すブロック図
【図１５】他の実施形態（３）に係るインナーベースの主板壁の部分側断面図
【図１６】他の実施形態（４）に係るインナーベースの主板壁の部分側断面図
【図１７】他の実施形態（５）に係るインナーベースの主板壁の部分側断面図
【図１８】他の実施形態（６）に係るインナーベースの主板壁の部分側断面図
【符号の説明】
【０１０４】
１０    パチンコ遊技機（遊技機）
１１    遊技板
１１Ａ    光装飾窓
１４Ａ，１４Ｂ    始動入賞口（入賞口）
１４Ｃ    可動翼片（可動部材）
１４Ｓ    演出用ソレノイド（駆動源）
１４Ｕ    始動入賞口ユニット（１対の入賞口ユニット）
１５    大入賞口（入賞口）
１５Ｓ    大入賞口ソレノイド（駆動源）
１５Ｔ    可動扉（可動部材）
１５Ｕ    大入賞口ユニット（１対の入賞口ユニット）
４０Ｕ    装飾透光部材
４２    前側装飾透光部材
４２Ａ    板状透光部材
４３，８３    一般入賞口（入賞口）
４４    後側装飾透光部材
４４Ｂ    小凸レンズ
５０    インナーベース（ベース部材）
５１    主板壁（光源対向板状透光部材）
５１Ａ    位置決め孔
５２Ｋ    区分突壁（前面起立壁，突壁）
５２Ｓ    包囲突壁（前面起立壁，突壁）
５３    案内部
５４Ｋ    アーム係止部
５５    凸レンズ部
５５Ａ    外縁部
５６    凹部
５６Ａ    内側面
５７    縁溝
５８    センサ取付部
７０    フレームベース
７１    枠壁
７２    後端壁
７３Ａ    位置決め支柱
７３Ｃ    矢尻形係止突部
７３Ｄ    係止アーム
７４Ｇ    遊技球案内部
９０    電飾回路基板（回路基板）
９１    ＬＥＤチップ（光源，チップ形のＬＥＤ）
９２    ＬＥＤ（光源）
９３，９４    中継回路基板
９５    遊技球センサ
Ｒ１    遊技領域
【図１】
2007275366.tif 000003
【図２】
2007275366.tif 000004
【図３】
2007275366.tif 000005
【図４】
2007275366.tif 000006
【図５】
2007275366.tif 000007
【図６】
2007275366.tif 000008
【図７】
2007275366.tif 000009
【図８】
2007275366.tif 000010
【図９】
2007275366.tif 000011
【図１０】
2007275366.tif 000012
【図１１】
2007275366.tif 000013
【図１２】
2007275366.tif 000014
【図１３】
2007275366.tif 000015
【図１４】
2007275366.tif 000016
【図１５】
2007275366.tif 000017
【図１６】
2007275366.tif 000018
【図１７】
2007275366.tif 000019
【図１８】
2007275366.tif 000020